(57)【特許請求の範囲】
【請求項１】
遊技領域の下方に、基台の表面側に設けられて遊技球を遊技球発射装置に供給する供給皿と、遊技球を貯留する貯留皿とが設けられており、
その供給皿に、貯留皿へ任意に遊技球を流下させる球抜き機構と、前記基台の裏面側に付設された遊技球発射装置に遊技球を１個ずつ送り出す整流機構とが備えられたパチンコ機であって、
前記基台には、連通孔及び挿通孔が穿設されており、
前記整流機構は、導球孔及びリード孔が穿設された板状部に、遊技球を１個ずつ並べて流下させるために前記導球孔を覆うように設けられた整流路と、前記整流路の末端の可動領域に設けられ、前記整流路内に並んだ遊技球を１個ずつ遊技球発射装置に送り出す送球部材とを備えたものであり、前記導球孔を前記基台の連通孔に、前記リード孔を前記基台の挿通孔に夫々一致させた状態で、前記基台の裏面側に付設されている一方、
前記球抜き機構は、前記貯留皿へ遊技球を流下させるために、前記整流機構の可動領域と隣接した上方に設けられた球抜き孔と、前記球抜き孔を開閉するために、前記リード孔に挿通されて表面側から操作可能に設けられた可動部材とを備えており、
前記可動領域を前記球抜き孔側へと側方に膨出した形状に設けたことを特徴とするパチンコ機。
【発明の詳細な説明】
【０００１】
【発明の属する技術分野】
本発明は、パチンコ機に関するものである。
【０００２】
【従来の技術】
図１０は、従来のパチンコ機を示したものである。従来のパチンコ機５１は、機台の中央上方に、各種の入賞装置を設置した略円形の遊技領域（図示せず）が設けられているとともに、機台の前面に、前面枠５２が片開き自在に設けられており、その前面枠５２に嵌め込まれたガラス板が、遊技領域の前方に位置した状態になっている。さらに、その前面枠５２の下部には、遊技領域の下方に設けられた遊技球発射装置（図示せず）へ遊技球を供給するための供給皿５３が設けられている。そして、その供給皿５３には、供給皿５３に貯まった遊技球を、供給皿の下方に設けられた貯留皿５４に流下させるための球抜き機構Ｒと遊技球発射装置へ遊技球を１個ずつ供給するための整流機構とが付設されている。なお、整流機構は、前面枠５２の裏側（供給皿５３の右サイドの後方）に設置されている。図１１は、整流機構を示したものであり、整流機構Ｌは、右上方（前面枠５２の裏側から見た場合の右上方）に、供給皿５３の出口と連通させる導球孔５５が設けられており、その導球孔５５と連通するように、遊技球を一列に並べる左下がりの整流路５６が設けられている。さらに、その整流路５６の下端には、遊技球を遊技球発射装置へ１個ずつ送り出す送球部材５７が、支軸５８を中心として回動可能に枢着されている。
【０００３】
【発明が解決しようとする課題】
しかしながら、上記従来のパチンコ機５１は、球抜き機構Ｒと整流機構Ｌとが別個独立に設けられているため、球抜き機構Ｒを利用して、供給皿５３に貯まった遊技球を貯留皿５４に流下させる場合に、整流機構Ｌ内に多くの遊技球が残ってしまう。このため、途中で遊技を止める遊技者が気を悪くすることがあった。
【０００４】
本発明の目的は、上記従来のパチンコ機の有する問題点を解消し、球抜き機構を利用して供給皿に貯まった遊技球を貯留皿に流下させる場合に、整流機構内に多くの遊技球が残らないパチンコ機を提供することにある。
【０００５】
【課題を解決するための手段】
請求項１に記載された発明の構成は、遊技領域の下方に、基台の表面側に設けられて遊技球を遊技球発射装置に供給する供給皿と、遊技球を貯留する貯留皿とが設けられており、その供給皿に、貯留皿へ任意に遊技球を流下させる球抜き機構と、前記基台の裏面側に付設された遊技球発射装置に遊技球を１個ずつ送り出す整流機構とが備えられたパチンコ機であって、前記基台には、連通孔及び挿通孔が穿設されており、前記整流機構は、導球孔及びリード孔が穿設された板状部に、遊技球を１個ずつ並べて流下させるために前記導球孔を覆うように設けられた整流路と、前記整流路の末端の可動領域に設けられ、前記整流路内に並んだ遊技球を１個ずつ遊技球発射装置に送り出す送球部材とを備えたものであり、前記導球孔を前記基台の連通孔に、前記リード孔を前記基台の挿通孔に夫々一致させた状態で、前記基台の裏面側に付設されている一方、前記球抜き機構は、前記貯留皿へ遊技球を流下させるために、前記整流機構の可動領域と隣接した上方に設けられた球抜き孔と、前記球抜き孔を開閉するために、前記リード孔に挿通されて表面側から操作可能に設けられた可動部材とを備えており、前記可動領域を前記球抜き孔側へと側方に膨出した形状に設けたことにある。
【０００７】
【発明の実施の形態】
以下、本発明のパチンコ機の一実施形態について、図面に基づいて詳細に説明する。
【０００８】
図１は、パチンコ機を示したものであり、パチンコ機１は、機台の中央上方に遊技領域（図示せず）が設けられている。また、機台の周囲が外枠２によって覆われており、その外枠２の内側に設置されたミドル枠（図示せず）の左端縁に、前枠３が片開き自在に蝶着されている。そして、前枠３に取り付けられたガラス板４が、遊技領域の前方に位置した状態になっている。さらに、遊技領域の下側には、遊技領域に遊技球を発射する遊技球発射装置（図示せず）が内蔵されている。一方、その前枠３の下側には、中扉５が左端縁を軸として片開き自在に蝶着されている。中扉５は、前枠３を片開きした場合にのみ、片開きできるようになっており、前枠３より広角に片開きできないようになっている。そして、その中扉５には、遊技球発射装置へ遊技球を供給するための供給皿６が突設されている。さらに、中扉５の下側には、下側機能部７が設置されている。そして、その下側機能部７には、貯留皿８が、供給皿６と連通するように設けられている。
【０００９】
図２、図３は、それぞれ、中扉５の表側、裏側を示したものであり、図４、図５は、それぞれ、中扉５の平面図、分解斜視図である。中扉５は、供給皿６、基台９、外装部材１０等によって組み立て形成されており、外装部材１０の略中央には、略円形の３つの球貸操作部１１ａ，１１ｂ，１１ｃからなる球貸装置が設けられている。図６は、外装部材１０を取り外した状態の中扉５を示したものであり、基台９は、横長の長方形状の平板部１２の下端に、底板１３が突設された形状を有している。また、基台９は、平板部１２の左上方に、遊技球排出孔１４が穿設されているとともに、平板部１２の右中央に、正方形状の連通孔１５が穿設されている。さらに、その連通孔１５の下側には、横長な挿通孔１６が穿設されている。そして、平板部１２の中央よりやや上方に、供給皿６が突設されており、その供給皿６と底板１３とが平行に配置した状態になっている。
【００１０】
供給皿６は、皿本体１７が水平に設けられており、その皿本体１７の後端縁に、鉛直板１８が下向きに突設されている。皿本体１７は、上面が凹状に形成されているとともに、その凹状部分が右下がりになっている。さらに、凹状部分には、中央から右端に亘って、誘導溝２０が設けられている。また、皿本体１７の右側には、貯留皿８へ任意に遊技球を流下させるための、球抜きレバー２１、バネ部材（付勢部材）２２、可動部材２３等によって構成された球抜き機構Ｒが付設されている。また、鉛直板１８の右下方であって誘導溝２０の先端の下側には、ガイド孔２４が穿設されている。かかる供給皿６は、鉛直板１８の裏面を、基台９の表面に当接させた状態で、基台９に固定されている。そして、左側の遊技球受皿部１９が、基台９に穿設された遊技球排出孔１４の前方に位置した状態になっているとともに、鉛直板１８に穿設されたガイド孔２４が、基台９に穿設された挿通孔１６と一致し、誘導溝２０の先端が、基台９に穿設された連通孔１５と連通した状態になっている。なお、遊技球受皿部１９の前方Ｂには、金属メッキされたモール部材４２が取り付けられている。
【００１１】
一方、図３に示されるように、基台９の裏面の左下方には、遊技球発射装置に遊技球を１個ずつ送り出す整流機構Ｌが付設されている。図７は、整流機構Ｌの設置部位を示したものであり、整流機構Ｌは、板状部２５の右上方（基台９の裏側から見た場合の右上方）に導球孔２６が穿設されている。そして、その導球孔２６を覆うように整流路２７が設けられており、左下がりに傾斜して下方に折れ曲がった状態になっている。さらに、整流路２７の下端には、送球部材２８が、支軸２９を中心として回動可能に枢着されている。また、整流路２７の下端際は、側方に膨出した形状になっており、送球部材２８の可動領域４１となっている。加えて、整流路２７の可動領域４１と隣接した部分には、球抜き孔３０が設けられており、貯留皿８と連通した状態になっている。また、板状部２５には、整流路２７の球抜き孔３０設置部分と隣接するように、リード孔３１が穿設されている。かかる整流機構Ｌは、板状部２５の裏面（基台９の裏側から見た場合の裏面）を基台９の裏面に当接させた状態で、基台９に固定されている。なお、固定された状態において、板状部２５に穿設された導球孔２６が、基台９に穿設された連通孔１５と一致し、板状部２５に穿設されたリード孔３１が、基台９に穿設された挿通孔１６および供給皿６の鉛直板１８に穿設されたガイド孔２４と一致した状態になっている。
【００１２】
また、図８は、球抜き機構Ｒの設置部位を示したものであり、図９は、図８におけるＡ−Ａ線断面を示したものである。可動部材２３は、横長で扁平な本体３２の前面に、係合突起３３が突設されており、本体３２の後面から、塞き止め部３４が突出した形状を有している。さらに、本体３２の右端縁には、バネ固定部３５が上方へ突設されている。かかる可動部材２３は、塞き止め部３４が、供給皿６の鉛直板１８に穿設されたガイド孔２４、基台９に穿設された挿通孔１６および整流機構Ｌの板状部２５に穿設されたリード孔３１を貫通し、塞き止め部３４の先端が、整流路２７と略同じ位置まで後方に突出するように、供給皿６の鉛直板１８の前方に、左右に可動可能に設置されている。一方、バネ部材２２は、合成樹脂によって形成されており、逆向きのＶ字形状を有している。そして、Ｖ字の開き角度をわずかに小さくし、左側の下端を鉛直板１８の表面から突出した誘導溝２０の先端に係止させ、右側の下端を可動部材２３のバネ固定部３５の内側に係止させ、可動部材２３を右方向へ付勢した状態で、可動部材２３の上方に設置されている（図６、図８参照）。さらに、球抜きレバー２１は、摘み３６の右側が上方に隆起しており、摘み３６の下端縁に段差３７が設けられているとともに、摘み３６の下方に、扇状の作用片３８が突設されている。そして、供給皿６に穿設された設置孔３９に、摘み３６の上部を上方に突出させた状態で遊嵌されており、作用片３８の左側縁の下端際の部分が、可動部材２３の係合突起３３と係合した状態になっている。また、図９の如く、段差３７のうちの後側の部分が、バネ部材２２の中央上部の支点部分４０によって支えられた状態になっている。
【００１３】
かかるパチンコ機１においては、入賞球が払い出されたり、遊技者によって遊技球が流し込まれたりして、供給皿６に遊技球が貯留すると、それらの遊技球は、皿本体１７の導球溝２０に流れ込み、一列に整列した状態で、基台９の前方側から挿通孔１５（整流機構Ｌの導球孔２６）を通って基台９の後方側へと流下し、整流機構Ｌの整流路２７内を流下する。そして、整流機構Ｌの下端の可動領域４１まで流下した後に、送球部材２８によって、１個ずつ遊技球発射装置に供給される。
【００１４】
また、球抜き機構Ｒを構成する球抜きレバー２１の摘み３６の右側（隆起部分）が押し下げられた場合には、球抜きレバー２１が、摘み３６の段差３７の後側の部分（バネ部材２２の支点部分４０との接合部分）を中心に、供給皿６の鉛直板１８の表面と平行な面内で回動し、作用片３８の左端縁が、可動部材２３の係合突起３３を左側に押しやり、可動部材２３をバネ部材２２の付勢力に抗して左側にスライドさせる。かかる如く、可動部材２３が左側にスライドすると、基台９の裏側においては、可動部材２３の塞き止め部３４が、整流機構Ｌのリード孔３１内において右側へ移動し、常時は、図７（ａ）の如く塞き止め部３４によって閉じた状態になっている球抜き孔３０が、図７（ｂ）の如く開いた状態になる。このため、供給皿６内の遊技球が、一旦、整流機構Ｌの整流路２７内に入った後に、球抜き孔３０から下方に流下し、貯留皿８へ導かれる。
【００１５】
パチンコ機１は、上記の如く、供給皿６に球抜き機構Ｒと整流機構Ｌとが付設されており、かつ、球抜き機構Ｒが、貯留皿８へ遊技球を流下させる球抜き孔３０と、球抜き孔３０を開閉する可動部材２３とを有しており、整流機構Ｌが、遊技球を１個ずつ並べて流下させる整流路２７と、整流路２７内に並んだ遊技球を１個ずつ遊技球発射装置に送り出す送球部材２８とを有しているとともに、整流路２７内に、球抜き孔３０と可動部材２３とが設けられているため、球抜き機構Ｒを利用して遊技球を貯留皿８に流下させる場合に、整流機構Ｌ（整流路２７）内に多くの遊技球が残ったりしない。
【００１６】
また、パチンコ機１は、整流路２７の末端に、送球部材２８の可動領域４１が膨出状に設けられており、その可動領域４１と隣接した上方に、球抜き孔３０と可動部材２３とが設けられているため、球抜き機構Ｒを利用して遊技球を貯留皿８に流下させる場合に、整流路２７内に残る遊技球の数が、きわめて少ない。さらに、パチンコ機１は、球抜き孔３０から流下する遊技球は、膨出した可動領域４１に衝突し、落下速度が抑えられるため、貯留皿８から飛び出したりしない、という効果をも有している。
【００１７】
加えて、パチンコ機１は、球抜き機構Ｒを構成するバネ部材２２が合成樹脂によって形成されており、中扉５全体が合成樹脂によって形成されたものとなっているため、中扉５を交換して廃棄する場合に、材質毎に分別する必要がない、というメリットがある。
【００１８】
なお、本発明のパチンコ機の構成は、何ら上記実施形態の態様に限定されるものではなく、外枠、前枠、中扉（基台、供給皿、外装部材）、下側機能部、球抜き機構、整流機構等の形状・構造等の構成を、必要に応じて適宜変更することができる。
【００１９】
たとえば、可動部材は、上記実施形態の如く、球抜きレバーが添設されており、球抜きレバーの操作によって間接的に作動するものに限定されず、操作によって直接的に作動するものでも良い。また、スライド作動によって球抜き孔を開閉するものに限定されず、回転作動等によって球抜き孔を開閉するものでも良い。さらに、ソレノイド等の作動によって間接的に球抜き孔を開閉するものでも良い。一方、中扉は、基台、供給皿、外装部材等の部材によって組み立て形成されるものに限定されず、一体的に形成されたものでも良い。加えて、整流機構は、上記実施形態の如く、別個に形成されたものでなく、基台等に一体的に設けられたものでも良い。
【００２０】
【発明の効果】
請求項１に記載されたパチンコ機は、球抜き機構が、貯留皿へ遊技球を流下させる球抜き孔と、球抜き孔を開閉する可動部材とを有しており、整流機構が、遊技球を１個ずつ並べて流下させる整流路と、整流路内に並んだ遊技球を１個ずつ遊技球発射装置に送り出す送球部材とを有しているとともに、整流路内に、球抜き孔と可動部材とが設けられているため、球抜き機構を利用して遊技球を貯留皿に流下させる場合に、整流機構内に多くの遊技球が残ったりしない。
また、整流路の末端に、送球部材の可動領域が球抜き孔側へと側方に膨出した形状に設けられており、その可動領域と隣接した上方に、球抜き孔と可動部材とが設けられているため、球抜き機構を利用して遊技球を貯留皿に流下させる場合に、整流路内に残る遊技球の数がきわめて少ない。さらに、球抜き孔から流下する遊技球は、膨出した可動領域に衝突し、落下速度が抑えられるため、貯留皿から飛び出したりしない。
【図面の簡単な説明】
【図１】パチンコ機を示す説明図である。
【図２】中扉の前面を示す説明図である。
【図３】中扉の裏面を示す説明図である。
【図４】中扉の平面図である。
【図５】中扉を分解して示す説明図である。
【図６】外装部材を取り外した状態の中扉を示す説明図である。
【図７】整流機構設置部位を示す説明図である（（ａ）は、球抜き孔を閉じた状態を示したものであり、（ｂ）は、球抜き孔を開いた状態を示したものである）。
【図８】球抜き機構設置部分を示す説明図である。
【図９】図７におけるＡ−Ａ線断面を示す説明図である。
【図１０】従来のパチンコ機を示す説明図である。
【図１１】従来の整流機構を示す説明図である。
【符号の説明】
１・・パチンコ機、２・・外枠、３・・前枠、４・・ガラス板、５・・中扉、６・・供給皿、７・・下側機能部、８・・貯留皿、９・・基台、１０・・外装部材、１１・・球貸装置、１１ａ〜１１ｃ・・操作部、１２・・平板部、１３・・底板、１４・・遊技球排出孔、１５・・連通孔、１６・・挿通孔、１７・・皿本体、１８・・鉛直板、１９・・遊技球受皿部、２０・・誘導溝、２１・・球抜きレバー、２２・・バネ部材、２３・・可動部材、２４・・ガイド孔、２５・・板状部、２６・・導球孔、２７・・整流路、２８・・送球部材、２９・・支軸、３０・・球抜き孔、３１・・リード孔、３２・・本体、３３・・係合突起、３４・・塞き止め部、３５・・バネ固定部、３６・・摘み、３７・・段差、３８・・作用片、３９・・設置孔、４０・・支点部分、４１・・可動領域、４２・・モール部材、Ｒ・・球抜き機構、Ｌ・・整流機構。
【図１】
0003702660.tif 000002
【図２】
0003702660.tif 000003
【図３】
0003702660.tif 000004
【図４】
0003702660.tif 000005
【図５】
0003702660.tif 000006
【図６】
0003702660.tif 000007
【図７】
0003702660.tif 000008
【図８】
0003702660.tif 000009
【図９】
0003702660.tif 000010
【図１０】
0003702660.tif 000011
【図１１】
0003702660.tif 000012